(57)【要約】【課題】  多素子指向性アンテナを四本纏めて簡単に仰角設定可能にし、仰角設定部分を分散させることで、外力に強いアンテナの仰角設定取付け装置を得ること。【解決手段】  支柱１に多素子指向性アンテナＡを四本纏めて高所の電波発射源に向けて取付けるに当たり、前記支柱１の上部に取着した枢着板２の上下にそれぞれ左右屈曲部３Ａを有する上下横スティ３の各中央部３Ｂを平行取着し、各横スティ３の左右両側にそれぞれ前記アンテナＡを同方向に向け一本ずつ突設することで、多素子指向性アンテナ四本の支柱取付け装置を構成し、前記各取着部を緩めた各取着部の仮固定状態で、前記上下横スティ３を枢着板２や四本の各アンテナＡと共に高所の電波発射源に向け回動することで、各アンテナＡを四本纏めて電波発射源に向け仰角設定した後、前記仮固定状態の各取着部を固定することで、各アンテナＡの前記設定済仰角を四本纏めて固定可能となした。【選択図】図１
2005204115.tif 000002
【特許請求の範囲】
【請求項１】
ほぼ鉛直の支柱にＵＨＦまたはＶＨＦ帯域の多素子指向性アンテナを四本纏めて高所の電波発射源に向け仰角設定して取付けるに当たり、前記支柱の上部に枢着板を水平回動調節後固定可能に取着し、この枢着板の上下にそれぞれ左右対称の屈曲部を有する横スティの各中央部を軸線中心に回動調節後固定可能に平行取着すると共に、前記各屈曲部を経た上下各横スティの左右両側にそれぞれ前記各アンテナを同方向に向けて一本ずつ突設することで、多素子指向性アンテナ四本の支柱取付け装置を構成し、前記各取着部を緩めた各取着部の仮固定状態で、上下各横スティを枢着板や四本のアンテナと共に高所の電波発射源に向け回動させることで、各アンテナを四本纏めて電波発射源に向け仰角設定した後、前記仮固定状態の各取着部を強固に固定することで、各アンテナの設定済仰角を四本纏めて固定可能となした多素子指向性アンテナの仰角設定取付け装置。
【請求項２】
ほぼ鉛直の支柱にＵＨＦまたはＶＨＦ帯域の多素子指向性アンテナを四本纏めて高所の電波発射源に向け仰角設定して取付けるに当り、前記支柱の上部に枢着板を水平回動調節後固定可能に取着し、この枢着板の上下に左右対称の屈曲部を有する横スティの各中央部を軸線中心に回動調節後固定可能に平行取着すると共に、前記各屈曲部を経た上下各横スティの左右両側にそれぞれ前記各アンテナを同方向に向けて一本ずつ突設する一方、前記上下各横スティの左右両側をそれぞれ補強用縦スティの上下に軸線中心として回動調節後固定可能に取着することで、多素子指向性アンテナ四本の支柱取付け装置を構成し、前記各取着部を緩めた各取着部の仮固定状態で、上下各横スティを枢着板や四本のアンテナと共に高所の電波発射源に向け回動させることで、各アンテナを四本纏めて電波発射源に向け仰角設定した後、前記仮固定状態の各取着部を強固に固定することで、各アンテナの設定済仰角を四本纏めて固定可能とした多素子指向性アンテナの仰角設定取付け装置。
【請求項３】
ほぼ鉛直の支柱にＵＨＦまたはＶＨＦ帯域の多素子指向性アンテナを四本纏めて高所の電波発射源に向け仰角設定して取付けるに当り、前記支柱の上部に枢着板を水平回動調節後固定可能に取着し、この枢着板の上下に左右対称の屈曲部を有するクランク状の上下横スティの各中央部を所定間隔を保ちそれぞれ軸線中心に回動調節後固定可能に平行取着すると共に、前記各屈曲部を経た上下各横スティの左右両側に前記各アンテナを同方向に向けて一本ずつ突設する一方、前記上下各横スティの左右両側をそれぞれ補強用縦スティの上下に軸線中心として回動調節後固定可能に取着することで、多素子指向性アンテナ四本の支柱取付け装置を構成し、前記各取着部を緩めた各取着部の仮固定状態で、前記枢着板を前記電波発射源の下方に向け水平回動調節すると共に、前記上下各横スティの中央部を軸線中心に回動させることで、上下各横スティの左右両側を互いに前後反対方向に変移し、この変移量に応じた傾斜角で上下各横スティを四本のアンテナと共に高所の電波発射源に向け仰角設定した後、前記仮固定状態の各取着部を固定することで、各アンテナの設定済仰角を四本纏めて固定可能とした多素子指向性アンテナの仰角設定取付け装置。
【請求項４】
ほぼ鉛直の支柱にＵＨＦまたはＶＨＦ帯域の多素子指向性アンテナを四本纏めて高所の電波発射源に向け仰角設定して取付けるに当たり、前記支柱の上部に枢着板をＵ字ボルトと締付けナットとで水平回動調節後固定可能に取着し、この枢着板の上下には、左右対称の屈曲部を有するクランク状上下横スティの各中央部を所定間隔を保ちそれぞれ軸線中心に回動調節後固定可能にＵ字ボルトと締付けナットとで平行取着し、前記各屈曲部を経た上下各横スティの左右両側にそれぞれ前記各アンテナを同方向に向けて一本ずつ突設する一方、前記上下各横スティの左右両側同士をそれぞれ軸線中心に回動調節後固定可能にＵ字ボルトと締付けナットとで補強用縦スティにより連結し補強することで、多素子指向性アンテナ四本の支柱取付け装置を構成し、前記各締付けナットを緩めた各取着部の仮固定状態で、前記枢着板を前記電波発射源の下方に向け水平回動調節すると共に、前記上下各横スティの各中央部を軸線中心に回動させることで、上下各横スティの左右両側を互いに前後反対方向に変移し、この変移量に応じた傾斜角で上下各横スティを四本のアンテナと共に高所の電波発射源に向け仰角設定した後、前記仮固定状態の各取着部における各締付けナットを強固に強固に固定することで、各アンテナの設定済仰角を四本纏めて固定可能となした多素子指向性アンテナの仰角設定取付け装置。
【請求項５】
前記上下の横スティを強靱な丸パイプ材で作り、これら各スティの両側外周面にリング溝を形成し、この溝内に係入定位したＵ字ボルトに前記補強用縦スティを締付けナットで取着することで、この取着部の位置決め案内と取着位置ずれの防止とを可能にすると共に、締付けナットを緩めた取着部の前記仮固定状態を安定に維持可能となした請求項４に記載の多素子指向性アンテナの仰角設定取付け装置。
【発明の詳細な説明】
【技術分野】
【０００１】
本発明は、ＵＨＦまたはＶＨＦ帯域の電波共聴設備受信用アンテナなど、水平・垂直スタック接続した受信用多素子指向性アンテナを四本纏めて地上波デジタルテレビ放送アンテナなど高所の電波発射源に精確に向け仰角設定して設置する際に用いて好適なＵＨＦまたはＶＨＦ帯域の多素子指向性アンテナの仰角設定取付け装置に関する。
【背景技術】
【０００２】
通信用アンテナの仰角を設定して支柱やベランダに取付ける装置としては従来、下記の特許文献１・特許文献２および特許文献３に記載のものがそれぞれ周知であるが、これらの従来例は、いずれも放送衛星や通信衛星からの電波を受信するためのパラボラアンテナを仰角設定して支柱やベランダに取付けるためのアンテナ取付け装置である。
【特許文献１】特開平７−２２６６２１号公報
【特許文献２】特開２００１−２９８３１０号公報
【特許文献３】特開２００３−４６３１０号公報
【発明の開示】
【発明が解決しようとする課題】
【０００３】
上記従来例は、パラボラアンテナの仰角設定取付け装置であり、複数のアンテナ取付け具における板面同士の接面部分を角度変更可能にねじ止めしてパラボラアンテナの受信面を上記放送衛星や通信衛星に向くように仰角設定するものであり、具体的には上記各アンテナ取付け装置の板面同士を接面し、一方の板面に形成した長孔の縁辺を他方の板面にねじ止めすることで、パラボラアンテナの仰角を固定するものだから、この仰角固定部分の強度が接面方向の外力に対し弱く動き易い上に、アンテナ仰角設定部分が取付け装置の板面に局所集中しているため、テコの原理に基づき長尺物支持に対して弱く、水平・垂直スタック接続して用いるＵＨＦ帯域やＶＨＦ帯域の多素子指向性アンテナを四本纏めて仰角設定し支柱に取付けるアンテナ取付け装置としては強度不足のため採用できない。
【０００４】
すなわち、地上波テレビ放送電波の影となる地域には、現在、山上サテライト局の中継アンテナから周波数変換したり、発射電波の偏波面を変えたりしてＵＨＦ帯域やＶＨＦ帯域の中継電波を発射することで、水平・垂直スタック接続したＵＨＦ帯域やＶＨＦ帯域の受信アンテナで可及的に良質な受信状態を得ているが、地上波テレビ放送電波の影となる地域は一般に豪雪地帯が多く、冬場になると上記各多素子指向性アンテナへの着雪量も多くなり、ＵＨＦまたはＶＨＦ帯域の多素子指向性アンテナ四本全体の荷重としては、２０キログラム以上の大重量となる場合も有るし、これら四本の多素子指向性アンテナは、季節を通して強風時には一つのパラボラアンテナよりも揺動し易いため、これら四本の多素子指向性アンテナを前記従来例のものに無理に搭載した場合、上記大きなアンテナ荷重や強風で揺動する四本のアンテナからの無理な外力が、それぞれ従来取付け装置の板面や局部集中したアンテナ仰角固定部分に、テコの原理により継続的に繰り返し強く加わるため、上記板面が繰り返し撓んだり、上記アンテナ仰角固定接面ねじ止め部分が互いにずれ動いたりして受信状態が極めて不安定となると共に、上記帯域の各指向性アンテナの仰角やアンテナ水平向きが大きく変化して受信障害が生じたり、時には、上記各アンテナの仰角固定部分や取付け金具全体が破損してＵＨＦ帯域やＶＨＦ帯域の各多素子指向性アンテナが倒れてしまい、使い物にならなくなるという本質的かつ、大きな問題点が有る。
【０００５】
これら従来例のほかに、水平・垂直スタック接続した四本のＵＨＦまたはＶＨＦ帯域の多素子指向性アンテナを支柱に対し、同方向に向けて水平に個別突設したり、上記各多素子指向性アンテナを試行錯誤的に一本ずつ個別に高所の電波発射源に向け仰角設定して支柱に取付けて使用した試しも有るが、この場合には、四本の多素子指向性アンテナの上記仰角設定作業を高所で一本ずつ個別に実行しなければならず、各アンテナ仰角の設定作業が著しく煩雑かつ、面倒で危険な作業であるため、一般的には、この種ＵＨＦまたはＶＨＦ帯域の多素子指向性アンテナの垂直指向性が水平指向性よりも大幅にブロードであると言う考え方から、ＵＨＦ帯域やＶＨＦ帯域の多素子指向性アンテナをほぼ水平に固定したまま使用していたので、上記各多素子指向性アンテナを山上に設置した地上波デジタルテレビ放送中継アンテナなど高所の電波発射源に精確に向けて設置できないという、これまた本質的かつ、大きな問題点が有る。
したがって、前記したすべての従来例では、我国で放送し始めた双方向通信も可能な地上波デジタルテレビ放送などの高所から到来するＵＨＦまたはＶＨＦ帯域の放送電波を扱うための多素子指向性アンテナの仰角設定取付け装置としては全く対処できないという本質的かつ、大きな問題点が有る。
【０００６】
この発明は、高所から到来する地上波デジタルテレビ放送電波などのＵＨＦ帯域やＶＨＦ帯域の到来電波を少しでも良く受信するために、水平・垂直スタック接続したＵＨＦまたはＶＨＦ帯域の多素子指向性アンテナを四本纏めて上記電波の発射源に向け簡単に仰角設定可能にし、この仰角設定部分を分散させることで、外力に強いＵＨＦ帯域やＶＨＦ帯域の多素子指向性アンテナの仰角設定取付け装置を得ることを目的とする。
【課題を解決するための手段】
【０００７】
上記した本発明の目的は、ほぼ鉛直の支柱にＵＨＦまたはＶＨＦ帯域の多素子指向性アンテナを四本纏めて高所の電波発射源に向け仰角設定して取付けるに当たり、前記支柱の上部に枢着板を水平回動調節後固定可能に取着し、この枢着板の上下にそれぞれ左右対称の屈曲部を有する横スティの各中央部を軸線中心に回動調節後固定可能に平行取着すると共に、前記各屈曲部を経た上下各横スティの左右両側にそれぞれ前記各アンテナを同方向に向けて一本ずつ突設することで、多素子指向性アンテナ四本の支柱取付け装置を構成し、前記各取着部を緩めた各取着部の仮固定状態で、上下各横スティを枢着板や四本のアンテナと共に高所の電波発射源に向け回動させることで、各アンテナを四本纏めて電波発射源に向け仰角設定した後、前記仮固定状態の各取着部を強固に固定することで、各アンテナの設定済仰角を四本纏めて固定可能となしたことで達成できた。
なお、前記各アンテナに大形で大重量多素子アンテナを用いる場合や普通のＵＨＦまたはＶＨＦ帯域のアンテナを豪雪地域で用いる場合などには、前記上下各横スティの左右両側同士をそれぞれ軸線中心に回動後固定可能に補強用縦スティの上下に連結して四本のアンテナの前記設定済仰角の固定使用状態を上記補強用縦スティで補強した方がよい。
【発明の効果】
【０００８】
本発明は、以上のような手段を採用したので、以下に記載の効果を奏する。
この発明における請求項１の発明によれば、前記支柱に対する枢着板の取着部を緩めた枢着板の仮固定状態で、この枢着板を前記電波発射源の下方に向け前記上下各横スティと前記四本の各多素子指向性アンテナと共に水平回動調節した後、上下各横スティの取着部を緩めた上下各横スティの仮固定状態で、前記上下各横スティの中央部を枢着板に対して軸線中心に回動させることで、これら上下各横スティの左右両側を互いに前後反対方向に変移させることができ、この変移量に応じた傾斜角で上下各横スティを四本のアンテナと共に高所の電波発射源に向け簡単に仰角設定できるという効果が有るし、この仰角設定後、前記仮固定状態の各取着部を強固に固定することで、ＵＨＦ帯域やＶＨＦ帯域の各アンテナの設定済仰角を四本纏めて簡単に固定できるという優れた効果が有る。
【０００９】
すなわち、上記仰角固定状態は、主として四本のＵＨＦ帯域やＶＨＦ帯域の多素子指向性アンテナに加わる大きな荷重やテコ応力にも強くなるよう互いに大きく分散配置した前記各取着部分で極めて安定に長期間維持できたという優れた効果のほかに、前記枢着板は細長偏平であり、各スティ類が全部細長いから、その梱包・運搬・組立使用・保守点検などのすべての面で扱い易く、価格的にも有利であるという優れた効果も有る。
さらに、この発明における請求項２・請求項３の各発明によれば、前記諸効果に加えて、前記上下各横スティの左右両側をそれぞれ補強用縦スティの上下に軸線中心として回動調節後固定可能に取着したので、各アンテナの前記設定済仰角の固定状態を補強用縦スティで長期に亘り安定に補強し維持でき、前記各アンテナにＵＨＦまたはＶＨＦ帯域の大形で大重量多素子アンテナを豪雪地域でも安心して採用できるという効果を付加できた。
【００１０】
この発明における請求項４の発明によれば、前記諸効果に加えて、前記支柱に対する枢着板の取着部や枢着板と上下各横スティとの取着部および縦横各スティ同士の取着部にＵ字ボルトと締付けナットとを用いたから、Ｕ字ボルトに対して締付けナットを僅かに緩めるだけで、上記各取着部が簡単に仮固定状態となり、前記左右の補強用縦スティを前記四本のアンテナと共に高所の電波発射源に向け仰角設定し易くなったし、この仰角設定後、緩めた締付けナットを強固に締着するだけで、前記多素子指向性アンテナの設定済仰角を四本纏めて、簡単かつ、強固に固定できるという効果を付加できたし、この発明における請求項５の発明では、前記上下の横スティを強靱な丸パイプ材で作り、これら各スティの両側外周面にリング溝を形成し、この溝内に係入定位したＵ字ボルトに前記補強用縦スティを締付けナットで取着したので、この取着部の位置決め案内が可能となったし、取着位置ずれを確実に防げるという効果を付加でき、前記アンテナ仰角設定作業中における締付けナットを緩めた取着部の前記仮固定状態も安定に維持できるので、前記四本のアンテナを高所の電波発射源に向け安全かつ簡単に仰角設定できるという効果を付加できた。
【発明を実施するための最良の形態】
【００１１】
本発明を実施するための最良の基本的な形態例としては、図１および図２のように、ビルの屋上などにほぼ鉛直に立設した強靱丸パイプ製の支柱１に導波器と反射器とを有するダイポールアンテナなど周知のＵＨＦまたはＶＨＦ帯域の到来電波受信用の多素子指向性アンテナＡ（図示例では、ＵＨＦ帯域の垂直偏波の到来電波受信用多素子指向性アンテナＡを例示した）を四本纏めて高所のＵＨＦまたはＶＨＦ帯域の電波発射源に向けて取付けるに当たり、前記支柱１の上部に上記各図および図３のように金属などの強靱材で作った縦長の枢着板２を周知のＵ字ボルトＵとナットＮとで図１の矢印のように水平向きを回動調節した後固定可能に取着し、この枢着板２の上下に図１のように左右ほぼ対称的な屈曲部３Ａを有する強靱な丸パイプをクランク状に屈曲して作った上下一対の横スティ３の各中央部３Ｂを上記各図のように所定間隔を保ちそれぞれＵ字ボルトＵと締付けナットＮとで図３における矢印のように軸線中心に回動調節した後固定可能に平行して取着する。
【００１２】
一方、前記上下各横スティ３の左右両側の張り出し方向をそれぞれ図１・図２のように同方向に向けた状態で、これら各横スティ３の左右両側にそれぞれ前記ＵＨＦ帯域の多素子指向性アンテナＡまたは（ＶＨＦ帯域の多素子指向性アンテナＡ）の支持アームａを図４のようにＵ字ボルトＵと締付け蝶ナットＮとで周知の取付け座Ｍを介して取着することで、上下各横スティ３の左右両側に前記四本のアンテナＡをそれぞれ水平同方向に向けて前記各図のように一本ずつ大きく分散して取付ける。
なお、前記各アンテナＡにＵＨＦまたはＶＨＦ帯域の大形で大重量多素子アンテナを採用する場合や普通の多素子指向性アンテナを豪雪地域で使用する場合などには、前記上下各横スティ３の左右両側をそれぞれ強靱丸パイプ製の補強用縦スティ４の上下にＵ字ボルトＵと締付けナットＮとで軸線中心に回動調節した後固定可能に図１から図３までの各図のように連結して補強する。
また、前記上下の横スティ３の両側外周面に図４のようにリング溝３Ｃを形成し、この溝３Ｃ内に係入定位したＵ字ボルトＵに前記補強用縦スティを締付けナットＮで前記各図のように取着することで、この取着部の位置決め案内と取着位置ずれの防止とが可能になり、また、締付けナットＮを緩めた取着部の仮固定状態も安定に維持できる。
【００１３】
本発明の構成は以上のようなもので、以下その使用例につき説明する。
先ず、前記各アンテナ支持アームａの取着部分を除き、前記各取着部分における各締付けナットＮをすべて僅かずつ緩めて各取着部を仮固定状態とすれば、前記枢着板２は、支柱１に対して図１における矢印のように水平回動できるから、この枢着板２を縦横の各スティと前記四本の各多素子指向性アンテナＡと共に前記高所の電波発射源の下方に向け水平回動調節でき、この調節後または調節前に枢着板２に対して前記上下各横スティ３の各中央部３Ｂを軸線中心に図３における矢印のように回動させることで、上下各横スティ３の左右両側の張り出し位置を図１・図２の上下一致状態から図５・図６のように互いに前後方向にずらして変移できるから、各横スティ左右両側の前後位置変移量に応じた傾斜角で左右の各縦スティ４を四本の各アンテナＡと共に図１・図２の水平状態から高所の電波発射源に向かう仰角設定方向に図５のように傾斜させ、この傾斜状態を仮固定できる。
【００１４】
次いで、上記仮固定状態にある上下各横スティ３の左右両側にそれぞれ突設した前記四本のアンテナＡで受信したＵＨＦまたはＶＨＦ帯域の垂直偏波の到来電波を同軸ケーブル（周知のものでよいから図示せず）を経て周知の水平・垂直スタック混合接続手段を介し周知のテレビジョン受像機に入力し、その画面の映り具合が最良になるように確認したり、周知の電界強度計の指示が最大となるように確認しながら、各アンテナＡを四本纏めて図５・図６のように高所の電波発射源に精確に向くように、上下各横スティ３を四本のアンテナＡ・枢着板２・補強用縦スティ４と共に僅かずつ縦横斜めに回動させることで、各アンテナＡの仰角と左右角とを四本纏めて精確に同時設定することができ、引き続き上記テレビの映り具合を最良に保持し、または上記電界強度計の最大値を確認しながら、上記各アンテナの設定済仰角を最良に保持した状態で、今度は、前記仮固定状態にある緩めた締付けナットＮを強固に締着することで、高所の電波発射源に精確に向けた上記四本のＵＨＦまたはＶＨＦ帯域の多素子指向性アンテナＡの設定済仰角を四本纏めて図５・図６のように強固かつ、安定に固定でき、上記四本の多素子指向性アンテナＡでＵＨＦまたはＶＨＦ帯域の垂直偏波の到来電波を前記のようにテレビ画面の映り具合が最良の状態で長期に亘り安定に受信し、視聴することができた。
【実施例】
【００１５】
前記枢着板２は、支柱１の上端に水平回動調節後固定可能に被せた強靱な蓋筒体（周知のものでよいから図示せず）に溶着などで強固に固定することで、支柱１の上部に枢着板２を上記蓋筒体と共に水平回動調節後固定できるように取着してもよく、また前記縦横各スティ類の取着部は、前述したようなＵ字ボルトＵや締付けナットＮを用いる代わりに、周知の締めねじ付き締着バンドで各スティ類を軸線中心に回動調節した後、上記締着バンドを強固に締着して取着したり、針金や強靱な締め付け紐で各スティ類をたすき掛けして仮固定し、各スティ類を軸線中心に回動調節した後、上記針金や締め付け紐を強固に締着して取着してもよい。
さらに、素子数が少ない小型軽量のＵＨＦまたはＶＨＦ帯域のアンテナＡを用いる場合には、前記補強用縦スティ４を省略しても差し支えない。
【産業上の利用可能性】
【００１６】
前記各図示例では、ＵＨＦ帯域の垂直偏波の到来電波受信用多素子指向性アンテナＡの仰角設定取付け装置を示したが、本発明に用いる前記各スティ類の長さや直径を一回り大きくし、上下各横スティ３の上下間隔を図示例よりも離隔させて枢着板２に平行取着することで、本発明は、ＶＨＦ帯域の多素子指向性アンテナの仰角設定取付け装置としても当然に実施できる。
また、前記各図示例における各アンテナＡを周知の水平偏波の到来受信用多素子指向性アンテナに置換すれば、ＵＨＦまたはＶＨＦ帯域の水平偏波の到来電波を当然に受信し視聴できる。
【図面の簡単な説明】
【００１７】
【図１】本発明によるアンテナ取付け装置の前方斜視図
【図２】図１に示すものの後方斜視図
【図３】図１における枢着板付近の拡大斜視図
【図４】図１におけるアンテナ支持アーム部分の拡大斜視図
【図５】図２に示すものと状態を異にした後方斜視図
【図６】図５に示す状態よりも仰角を大きく設定した側方斜視図
【符号の説明】
【００１８】
Ａ…ＵＨＦまたはＶＨＦ帯域の多素子指向性アンテナ
ａ…アンテナ支持アーム
１…支柱  ２…枢着板  ３…上下の各横スティ
３Ａ…横スティの左右屈曲部  ３Ｂ…横スティ中央部
３Ｃ…横スティ両側のリング溝  ４…補強用縦スティ
Ｕ…Ｕ字ボルト  Ｎ…締め付けナット
【図１】
2005204115.tif 000003
【図２】
2005204115.tif 000004
【図３】
2005204115.tif 000005
【図４】
2005204115.tif 000006
【図５】
2005204115.tif 000007
【図６】
2005204115.tif 000008